(57)【特許請求の範囲】
【請求項１】
両端が開放した筒状であって、かつ実質的に開口面積が無くなるよう萎ませることができる柔軟性を有するネット材（１０）を、萎んだ状態でその一端側から他端側へ捲くり上げて環状巻き込み部（１４）に形成し、該環状巻き込み部（１４）を上記他端側近傍まで１５回ほどの回数で順次巻き込んでいって塊状体（１３）とし、
当該塊状体（１３）は、窄められた口又は肩部（２２）を有し且つ内部に錠剤又はカプセル剤が詰められた容器に挿入されて、当該錠剤又はカプセル剤の上面を押さえつけるものであり、
当該塊状体（１３）は、上記口に装着される容器蓋（３０）によって押し込まれるか、あるいは上記肩部（２２）で押し付けられることにより、容器内の余剰空間の形状に倣って弾性変形するものであり、
かつ、上記１５回ほどの回数で巻き込んだことにより、異なる大きさの複数の余剰空間に対して汎用的に上記弾性変形を可能としたこと、を特徴とする容器用詰め物。
【請求項２】
両端が開放した筒状であって、かつ実質的に開口面積が無くなるよう萎ませることができる柔軟性を有するネット材（１０）を、萎んだ状態でその一端側から他端側へ捲くり上げて環状巻き込み部（１４）に形成し、該環状巻き込み部（１４）を上記他端側近傍まで１５回ほどの回数で順次巻き込んでいって塊状体（１３）とすることを特徴とする容器用詰め物の製造方法。
【請求項３】
筒状であって、かつ実質的に開口面積が無くなるよう萎ませることができる柔軟性を有し、萎んだ状態で一端が開放されて他端が固結部（１１）にされたネット材（１０）を、その開放端（１２）を外側へ捲くり上げて環状巻き込み部（１４）に形成し、該環状巻き込み部（１４）を上記固結部（１１）の近傍まで１５回ほどの回数で順次巻き込んでいって塊状体（１３）とし、
当該塊状体（１３）は、窄められた口又は肩部（２２）を有し且つ内部に錠剤又はカプセル剤が詰められた容器に挿入されて、当該錠剤又はカプセル剤の上面を押さえつけるものであり、
当該塊状体（１３）は、上記口に装着される容器蓋（３０）によって押し込まれるか、あるいは上記肩部（２２）で押し付けられることにより、容器内の余剰空間の形状に倣って弾性変形するものであり、
かつ、上記１５回ほどの回数で回巻き込んだことにより、異なる大きさの複数の余剰空間に対して汎用的に上記弾性変形を可能としたこと、を特徴とする容器用詰め物。
【請求項４】
筒状であって、かつ実質的に開口面積が無くなるよう萎ませることができる柔軟性を有し、萎んだ状態で一端が開放されて他端が固結部（１１）にされたネット材（１０）を、その開放端（１２）を外側へ捲くり上げて環状巻き込み部（１４）に形成し、該環状巻き込み部（１４）を上記固結部（１１）まで１５回ほどの回数で順次巻き込んでいって塊状体（１３）とすることを特徴とする容器用詰め物の製造方法。
【発明の詳細な説明】
【技術分野】
【０００１】  本発明は、容器用の詰め物およびその製造方法に係り、特に、錠剤やカプセル剤等の医薬品が収容されたガラス瓶またはプラスチック製瓶等の包装用容器内に、緩衝材の目的で入れられる詰め物およびその製造方法に関する。
【背景技術】
【０００２】  一般に、錠剤のかたちで市販されている医薬品の多くは瓶詰めの形態で包装されており、搬送中に瓶内で錠剤が損傷するのを防止するために、瓶内の余剰空間を埋めるべく緩衝材として種々のものが瓶内に詰められている。よく知られている例としては、脱脂綿や或いは適当な大きさのスポンジ塊を用いたり、またポリエチレンシート等の柔軟なプラスチック製フィルム材を適当に畳んだり丸めたりして詰めたりしているのが知られている。また、例えば図１３に示すような専用のプラスチック成形品７０を詰め物としている例もある。【０００３】  脱脂綿やスポンジを用いる場合は、瓶内で綿屑やスポンジの屑が出たりすると薬剤の品質に対する劣悪な印象を与える虞があるので好ましくない。またフィルムシート材は、単に容器内の余剰空間を埋めているだけであって緩衝効果に乏しく、柔軟性にもやや難があって内容物の保護機能も十分なものではない。さらにフィルムシート材の場合には、折り畳まれたシート材の間に錠剤が入り込むことがあり、購入者が開封して瓶からこのフィルムシート材を取り出す際に、その入り込んだ錠剤までが付随して取り出されてしまい、瓶の外で錠剤を散乱させてしまうことがあった。【０００４】  また、専用のプラスチック成形品は、製品イメージの点では最も優れているが、それを製作するためには専用の金型を必要とするため、必然的に高価なものとなる。その形状は、瓶内の余剰空間内に装填された状態でその空間形状を埋めるような形態にされているので、また比較的硬い成形品でもあるため、窄められた口から瓶内へ押し込んで装填するのは容易でなく、専用の押し込み装置を必要とする場合もある。そして瓶からの取り出しもかなりの力を要するので、女性や老齢の顧客にとっては取り扱い難いものとなっていることが多い。さらに、成形品の形状によっては、フィルムシート材の場合と同様、瓶からの取り出し時に錠剤を散乱させてしまうこともある。
【発明が解決しようとする課題】
【０００５】  本発明は上述のごとき従来の技術的課題に鑑み、これを有効に解決すべく創案されたものである。したがって本発明の目的は、瓶内への挿入もまた瓶からの取り出しも容易で取り扱いが簡単であり、瓶内空間の様々な形状にも柔軟に適合し、そして瓶からの取り出しの際に錠剤を挟み込んで散乱させてしまうことのない容器用詰め物を提供することにある。
【課題を解決するための手段】
【０００６】  本発明に係る容器用詰め物は、上述のごとき従来技術における課題を解決し、その目的を達成するために以下のような構成を備えている。即ち、弾性を有するネット材により球状体ないし塊状体に形成されている。例えば、弾性を有するネット材を球状体ないし塊状体に成型により形成することができる。
【０００７】  また、両端が開放され、且つ筒状に形成された弾性を有するネット材を、その一端を他端側へ捲くり上げて環状巻き込み部に形成し、該環状巻き込み部を上記他端側近傍まで順次巻き込んでいって塊状体とすることもできる。なお、上記筒状のネット材は、その一端が固結されたものであって、上記環状巻き込み部は、当該ネット材の開放端を上記固結端側に向かって外側へ捲くり上げて形成するのが好ましい。前述のとおりこの固結部は必須のものではないが、上記のような手順で塊状体とする場合には一端側に形成されているのが好ましく、かかる固結部は当該詰め物の把手としての作用をなすので、取り扱い上も便利なものとなる。なお、固結部の構成例としては、溶着によるものが一般的であるが、その他の例としては接着剤で固着させてもよく、或いは単に結び括ってもよい。
【０００８】  さらに本発明に係る容器用詰め物の製造方法は、一端が開放されて他端が固結部にされ、且つ筒状に形成された弾性を有するネット材を、その開放端を外側へ捲くり上げて環状巻き込み部に形成し、該環状巻き込み部を上記固結部まで順次巻き込んでいって塊状体とすることを特徴としている。
【発明を実施するための形態】
【０００９】  以下、本発明に係る容器用詰め物の実施形態について、添付図面を参照して説明する。図１は、本発明に係る容器用詰め物の一例を示す正面図である。この詰め物は、筒状に形成されたプラスチック製ネット１０（図２）の一端を溶融させて溶着玉１１にして閉じ、開放側の他端１２を外側へ捲くり上げて順に巻き込んでいって略球状体ないし略樽型体の形態にされた所謂リンゴ状の塊状体１３のものである。図２はその捲くり上げ前の状態を示しており、図３はその巻き込み途中で環状巻き込み部１４が形成されている状態を示している。この、全体が筒状に形成されたプラスチック製ネット１０は、例えば、ミカン等の果物や玉ねぎ、大蒜等の野菜、あるいはその他の物を入れてそれら品物の販売用袋として店頭に陳列されるのに供されるものが知られており、これと同等のものを利用することができる。
【００１０】  プラスチック製筒状ネット１０は、柔軟で伸縮性に富んでおり、また変形が容易である。したがって、図２の状態から図３の状態を経て図１の状態とするのに、開放端１２側から上述のように外側へ巻き込んでいくのは簡単である。そして図１に示すような塊状体１３は、それ自体の柔軟性および弾力性が非常に高く、これを瓶内に挿入する際には、瓶の口が多少窄めてあっても簡単にその形状に倣って弾性変形し、且つ挿入された後も瓶内の余剰空間の形状に柔軟に倣って弾性変形する。したがって、どんな形状の瓶に対してもその形に適合して簡単に挿入および取り出しすることができ、瓶内の余剰空間を確実に塞ぐことができる。図４は、口が僅かに窄められた瓶２０に図１の塊状体１３を挿入した状態を示している。この状態では瓶２０の口２１から塊状体１３の上部が幾分はみ出しており、瓶内には肩部２２の下側に隙間が認められる。この状態から蓋３０を閉じると、図５に示す状態となり、はみ出していた塊状体１３の部分が瓶２０の中に押し込まれると同時に、塊状体１３全体が瓶内の空間形状に倣って弾性変形して、肩部２２の下側の隙間がほぼ完全になくなる。この状態が製品としての出荷状態となる。そして、この状態では瓶内の錠剤に対しても適度な押圧力を与えてこれを保持しているので、内容物を保護するための緩衝機能にも優れており、輸送時等における錠剤の損傷を有効に防止する。使用に際して蓋３０を開けると再び図４の状態になるので、溶着玉１１の部分を摘んで引き出すことができ、簡単に取り出すことができる。
【００１１】  また、図１の状態の球状体は、ネットが内側から外側へ幾重にも重ねられた結果の形態であり、各層のネットにおける全ての繊維が常に外側へ向かって弾発しながら重なるようになっているので、ネットの目の中に錠剤が入り込むことがない。したがって、この塊状体１３の詰め物を瓶から取り出すときにも、詰め物に伴って錠剤が瓶の外へ飛び出すことはない。
【００１２】  図６は、口４１の窄まりが強い瓶４０に図１の塊状体１３を挿入した状態を示している。この例においては、蓋５０の内側中央部に乾燥剤収納ポケット５１が形成されて下方へ突出している。塊状体１３の溶着玉１１は瓶４０の口４１から僅かにはみ出しており、瓶内には僅かに埋まっていない隙間が残っている。この状態から蓋５０を閉じると、図７に示す状態となり、乾燥剤収納ポケット５１が塊状体１３を瓶４０の中に押し込むと同時に塊状体１３全体が瓶内の隙間に倣って弾性変形し、瓶４０内の隙間を完全に埋めることができる。
【００１３】  図８は、図４の瓶とほぼ同じ形状の瓶２０に図１の塊状体１３を挿入した状態を示している。この例においては、蓋６０の内側に下方へ突出する環状のパッキン６１が装填されている。塊状体１３は既に瓶内に押し込まれて肩部２２の下側に入り込んで止められており、錠剤の上面は塊状体１３によって押さえ付けられている。瓶２０の窄められた口２１の首部には、若干の空間が形成されているが、蓋６０が閉じられると図９に示すように、この部分に蓋６０の環状のパッキン６１が入り込んで塊状体１３を押さえ込んでいる。なお、図８の例でも判るように瓶の肩部２２で押し付けることができるので、例えば図１０に示すように、塊状体１３は蓋で押し付けなくともよい。
【００１４】  また図１１には、成形加工によりプラスチック製ネットを球状体１５および溶着玉１６に成形した例を示している。球状体１５の部分は、ちょうどゴムボールのように内部は空洞状である。この球状体１５を、例えば図４に示した瓶２０と同じ瓶に挿入する場合を図１２に示す。この例においても、球状体１５は柔軟性および弾性に富み、図１２の状態から蓋３０を閉じると、瓶２０の口２１からはみ出していた球状体１５の部分が、例えば図５に示す状態と同様に瓶２０の中に押し込まれ、それと同時に球状体１５全体が瓶内の隙間形状に倣って弾性変形し、隙間全体をほぼ完全に埋めることができる。また、使用に際して蓋３０を開けると再び図１２の状態に戻るので、溶着玉１６の部分を摘んで引き出すことができ、簡単に取り出すことができる。
【００１５】  なお、図２の状態で長さが５００ｍｍ、幅が５０ｍｍ、折り径（ネットを幅方向に最大限拡張したときの幅寸法に相当）が２５０ｍｍのネットを用い、開放端を外側に捲り上げて１５回ほど巻き込み、最終的な環状巻き込み部の径が約５０ｍｍ、高さが約４０ｍｍの塊状体にし、これを図４に示すような瓶（内容量１８０ｃｃ、胴部直径５８ｍｍ）に用いた。この場合、２００錠の錠剤を入れたときの瓶内の余剰空間高さが約３５ｍｍで、ちょうど図５に示したように蓋を閉じることができ、適度な押圧力で錠剤を保持することができた。さらに同じ瓶内に２５０錠の錠剤を入れたときには、瓶内の余剰空間高さが約２５ｍｍと小さくなるが、この場合も塊状体を瓶内に押し込むのは簡単であり、同様に蓋を閉じることができ、かつ余剰空間高さが約３５ｍｍの場合と同様に適度な押圧力で錠剤を保持することができる。すなわち、瓶内の余剰空間の大きさを変えて実験したが、いずれの場合にも一つの塊状体で、ほぼ同様の簡便さで適応することができた。従って、本発明の詰め物は、常に容器の余剰空間に柔軟に対応することができるものである。
【発明の効果】
【００１６】  図４から図１２の例に示すように、瓶の形状や蓋の形状を問わず、塊状体ないし球状体は全体が瓶内の空間形状に倣って弾性変形し、瓶内の空間を埋めて錠剤の上面を適度な押圧力で保持することができる。そして瓶の口の大きさも多少細く窄められていても、簡単に瓶内へ押し込むことができ、且つ取り出す際にも簡単に抜き出せる。また、取り出しの際に錠剤が塊状体ないし球状体と共に瓶から飛び出すこともない。また、プラスチック製ネットは変質したり屑が出たりすることがないので、商品イメージを損うこともない。
【図面の簡単な説明】
【図１】  本発明に係る容器用詰め物の一例を示す正面図である。
【図２】  筒状のプラスチック製ネットを示す図である。
【図３】  プラスチック製ネットの開放端側を巻き込んでいる途中で環状巻き込み部が形成されている状態を示す図である。
【図４】  図１の塊状体を瓶の一例に挿入した状態を示す図である。
【図５】  図４の状態から蓋を閉じた状態を示す図である。
【図６】  図１の塊状体を瓶の他の一例に挿入した状態を示す図である。
【図７】  図６の状態から蓋を閉じた状態を示す図である。
【図８】  図１の塊状体を瓶の別の例に挿入した状態を示す図である。
【図９】  図８の状態から蓋を閉じた状態を示す図である。
【図１０】  図１の塊状体を瓶のさらに別の例に挿入して蓋を閉じた状態を示す図である。
【図１１】  本発明に係る容器用詰め物の他の一例を示す正面図である。
【図１２】  図１１の球状体を瓶の一例に挿入した状態を示す図である。
【図１３】  従来の技術を示す図である。
【符号の説明】  １０  プラスチック製ネット
１１  溶着玉（固結部）
１２  開放端
１３  塊状体
１４  環状巻き込み部
１５  球状体
１６  溶着玉
２０  瓶
２１  口
２２  肩部
３０  蓋
４０  瓶
４１  口
５０  蓋
５１  乾燥剤収納ポケット
６０  蓋
６１  環状パッキン
【図１】
0005279158.tif 000002
【図２】
0005279158.tif 000003
【図３】
0005279158.tif 000004
【図４】
0005279158.tif 000005
【図５】
0005279158.tif 000006
【図６】
0005279158.tif 000007
【図７】
0005279158.tif 000008
【図８】
0005279158.tif 000009
【図９】
0005279158.tif 000010
【図１０】
0005279158.tif 000011
【図１１】
0005279158.tif 000012
【図１２】
0005279158.tif 000013
【図１３】
0005279158.tif 000014